【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
複数の情報サーバから配信される業種毎の競技情報を受信する複数の通信制御部と、
前記業種毎の競技情報を編集して１画面表示の映像信号を出力する画面編集手段と、
前記画面編集手段で編集された前記１画面表示の映像信号を場内映像設備へ出力する画面出力部と、
を有することを特徴とするテレビオッズ装置。
【請求項２】
前記画面編集手段は、
前記複数の通信制御部により受信した各前記競技情報から少なくとも、開催情報及び併売数を含む競技情報を抽出する複数の情報制御部と、
抽出された前記競技情報に基づいて前記１画面表示における表示パターンのスケジュールをセットするスケジュール制御部と、
前記スケジュール制御部によりセットされた前記表示パターンのスケジュールに従って前記１画面表示の映像信号を編集する画面制御部と、
を有することを特徴とする請求項１に記載のテレビオッズ装置。
【請求項３】
開催業種数及び前記併売数に応じた各業種の各競技場のチャンネル数を割り付けたチャンネル数割付テーブルを有し、
前記スケジュール制御部は、
前記チャンネル数割付テーブルに基づいて、前記１画面表示において各開催業種の競技場のレースに割り付けるチャンネル数を決定することを特徴とする請求項２に記載のテレビオッズ装置。
【請求項４】
どの競技場のレースを優先して前記チャンネル数の割り付けをするかを指定する優先順位指定テーブルを更に有し、
前記スケジュール制御部は、
前記チャンネル数割付テーブルに基づいて、各開催業種の競技場のレースに割り付ける合計のチャンネル数が、前記画面出力部が出力し得る最大チャンネル数を超える場合に、前記優先順位指定テーブルに従って、前記最大チャンネル数を超えないように、前記各開催業種の競技場のレースに前記チャンネル数の割り付けを行うことを特徴とする請求項３に記載のテレビオッズ装置。
【請求項５】
前記開催情報は、開催レースの投票締切時刻及び結果確定時刻を含み、
前記スケジュール制御部は、
抽出された前記競技情報中の各業種の前記開催レースの前記投票締切時刻及び前記結果確定時刻に基づいて、前記表示パターンのスケジュールをセットすることを特徴とする請求項２に記載のテレビオッズ装置。
【請求項６】
前記１画面表示は、
異業種のレースの進行状況の一覧表示、前記異業種のレースのオッズ情報の一覧表示、及び前記異業種のレースのレース結果の一覧表示のうちの１つ以上を含むことを特徴とする請求項１又は２に記載のテレビオッズ装置。
【請求項７】
競技毎の競技情報をそれぞれ提供する各業種の主催者センターと、
前記各業種の主催者センターに専用ネットワークを介してそれぞれ接続され、前記各主催者センターから提供される前記競技情報を配信する複数の情報サーバと、
各地域の場外投票券発売所に設置され、前記複数の情報サーバから配信される業種毎の前記競技情報を受信して、受信した前記業種毎の競技情報を編集して１画面表示の映像信号を出力するテレビオッズ装置と、
前記１画面表示の映像信号に基づいて複数の競技の前記競技情報を１画面表示する場内モニタと、
を備えることを特徴とするテレビオッズシステム。
【請求項８】
前記テレビオッズ装置は、
どの競技場のレースを優先してチャンネル数の割り付けをするかを指定する優先順位指定テーブルを有し、
前記優先順位指定テーブルにおけるチャンネル数の割り付けの優先順位は、設置されている前記場外投票券発売所の所在地毎に、指定されることを特徴とする請求項７に記載のテレビオッズシステム。
【請求項９】
前記場内モニタは、
異業種のレースの進行状況を一覧表示することを特徴とする請求項７又は８に記載のテレビオッズシステム。
【請求項１０】
前記進行状況の一覧表示は、
競技場とレース番号を表示する欄が、各業種の前記レースの投票締切時刻までの時間の順番に合った配列であることを特徴とする請求項９に記載のテレビオッズシステム。
【請求項１１】
前記場内モニタは、
異業種のレースのオッズ情報を一覧表示することを特徴とする請求項７に記載のテレビオッズシステム。
【請求項１２】
前記オッズ情報の一覧表示は、
各業種の開催中の前記レースについて、全賭け式の前記オッズ情報が人気の高い順に配列されていることを特徴とする請求項１１に記載のテレビオッズシステム。
【請求項１３】
前記場内モニタは、
異業種のレースのレース結果を一覧表示することを特徴とする請求項７に記載のテレビオッズシステム。
【請求項１４】
各競技の開催情報及び併売数を取得する第１処理と、
前記開催情報と前記併売数により表示パターンをセットしてスケジュールを選択する第２処理と、
前記第２処理により選択された前記スケジュールに従って、複数の情報サーバから受信した業種毎の競技情報を編集して１画面表示の映像信号を出力する第３処理と、
を有することを特徴とする競技情報の配信方法。
【請求項１５】
各競技の開催情報及び併売数を取得する第１処理と、
前記開催情報と前記併売数により表示パターンをセットしてスケジュールを選択する第２処理と、
前記第２処理により選択された前記スケジュールに従って、複数の情報サーバから受信した業種毎の競技情報を編集して１画面表示の映像信号を出力する第３処理と、
をテレビオッズ装置のコンピュータに実行させるプログラム。
【手続補正２】
【補正対象書類名】明細書
【補正対象項目名】００１０
【補正方法】変更
【補正の内容】
【００１０】
本発明の第１の側面のテレビオッズ装置は、複数の情報サーバから配信される業種毎の競技情報を受信する複数の通信制御部と、前記業種毎の競技情報を編集して１画面表示の映像信号を出力する画面編集手段と、前記画面編集手段で編集された前記１画面表示の映像信号を場内映像設備へ出力する画面出力部と、を有することを特徴とする。
【手続補正３】
【補正対象書類名】明細書
【補正対象項目名】００１１
【補正方法】変更
【補正の内容】
【００１１】
第２の側面のテレビオッズシステムは、競技毎の競技情報をそれぞれ提供する各業種の主催者センターと、前記各業種の主催者センターに専用ネットワークを介してそれぞれ接続され、前記各主催者センターから提供される前記競技情報を配信する複数の情報サーバと、各地域の場外投票券発売所に設置され、前記複数の情報サーバから配信される業種毎の競技情報を受信して、受信した前記業種毎の競技情報を編集して１画面表示の映像信号を出力するテレビオッズ装置と、前記１画面表示の映像信号に基づいて複数の競技の前記競技情報を１画面表示する場内モニタと、を備えることを特徴とする。
【手続補正４】
【補正対象書類名】明細書
【補正対象項目名】００１２
【補正方法】変更
【補正の内容】
【００１２】
第３の側面の競技情報の配信方法は、各競技の開催情報及び併売数を取得する第１処理と、前記開催情報と前記併売数により表示パターンをセットしてスケジュールを選択する第２処理と、前記第２処理により選択された前記スケジュールに従って、複数の情報サーバから受信した業種毎の競技情報を編集して１画面表示の映像信号を出力する第３処理と、を有することを特徴とする。
【手続補正５】
【補正対象書類名】明細書
【補正対象項目名】００２９
【補正方法】変更
【補正の内容】
【００２９】
ＣＰＵ１１は、競馬通信制御部１２ａ、競輪通信制御部１２ｂ、及びボート通信制御部１２ｃから入力される各競技（業種）の情報から、各競技の開催情報（各レースの投票締切時刻、レース結果確定時刻等）、併売数等を抽出する。ここで、併売数とは、同時に購入することが可能なレース数を意味する。例えば、Ｔ競馬とＮ競馬のみが同時開催中の場合の併売数は、２であり、更に、Ｍ競馬も同時開催中である場合の併売数は３である。抽出された開催情報、併売数等の情報は、メモリ１４内に記憶される。
【手続補正６】
【補正対象書類名】明細書
【補正対象項目名】００３０
【補正方法】変更
【補正の内容】
【００３０】
競馬情報制御部１３ａは、競馬通信制御部１２ａにより受信される競馬情報を、メモリ１４に記憶された開催情報、併売数等の情報と、後述するチャンネル数割付テーブル１４Ａ及び優先順位指定テーブル１４Ｂと、に従ってマージするものである。競輪情報制御部１３ｂは、競輪通信制御部１２ｂにより受信される競輪情報を、メモリ１４に記憶された開催情報、併売数等の情報と、後述するチャンネル数割付テーブル１４Ａ及び優先順位指定テーブル１４Ｂと、に従ってマージするものである。更に、ボート情報制御部１３ｃは、ボート通信制御部１２ｃにより受信される競艇情報を、メモリ１４に記憶された開催情報、併売数等の情報と、後述するチャンネル数割付テーブル１４Ａ及び優先順位指定テーブル１４Ｂと、に従ってマージするものである。
【手続補正７】
【補正対象書類名】明細書
【補正対象項目名】００３１
【補正方法】変更
【補正の内容】
【００３１】
メモリ１４は、開催情報、併売数等の情報に加え、後述するプログラムやチャンネル数割付テーブル１４Ａ、及び優先順位指定テーブル１４Ｂ等を記憶する記憶領域である。スケジュール制御部１５は、メモリ１４内のテーブル１４Ａに記憶され格納された開催情報、併売数等の情報に基づいて、場内モニタ３０へ表示する１画面表示の映像信号の順番（スケジュール）をセットするものである。
【手続補正８】
【補正対象書類名】明細書
【補正対象項目名】００３６
【補正方法】変更
【補正の内容】
【００３６】
先ず、１業種開催の場合について、説明する。尚、１業種開催とは、競馬、競輪、競艇のうち１つの業種の競技のみが開催されていることを意味する。図３に示されたチャンネル数割付テーブル１４Ａにおいて、例えば、競馬のみがＯ競馬場で開催されている場合、１業種開催、単売の行と、競馬オッズの列の交差する欄に記入されたように、Ｏ競馬場のレースに対して３０チャンネル（３０ｃｈ／場）が割り付けられる。競馬のみがＯ競馬場とＦ競馬場の２箇所で開催されている場合は、図３中の１業種開催、２併売の行と、競馬オッズの列の交差する欄に記入されたように、１競馬場当たり、２０チャンネル（２０ｃｈ／場）が割り付けられる。この場合は、２箇所の競馬場にそれぞれ２０チャンネルが割り付けられるので、最大チャンネル数の４０チャンネルが競馬のレースに割り付けられる。
【手続補正９】
【補正対象書類名】明細書
【補正対象項目名】００３９
【補正方法】変更
【補正の内容】
【００３９】
１業種開催、単売の場合、競馬のレースに割り付けられるチャンネル数が３０チャンネル／場（ｃｈ／場）であるのに対し、競輪及び競艇のレースに割り付けられるチャンネル数が３２チャンネルであるのは、業種（競技種目の種類）によって、ファンに提供する情報量が異なるためである。
【手続補正１０】
【補正対象書類名】明細書
【補正対象項目名】００４１
【補正方法】変更
【補正の内容】
【００４１】
この場合は、競馬については、図３中の２業種開催、２併売の行と、競馬オッズの列の交差する欄に記入されているように、Ｏ競馬場とＦ競馬場の各レースに８チャンネルが割り付けられる。競輪については、図３中の２業種、単売の行と、競輪オッズの列の交差する欄に記入されているように、Ｋ競輪のレースに１６チャンネルが割り付けられる。この場合は、８チャンネル×２＋１６チャンネルとなり、合計３２チャンネルが割り付けられる。
【手続補正１１】
【補正対象書類名】明細書
【補正対象項目名】００４７
【補正方法】変更
【補正の内容】
【００４７】
このような場合は、予め、優先順位を指定しておくことにより、最大出力チャンネル数の４０チャンネルを超えない範囲で、チャンネル数を割り付ける。
【手続補正１２】
【補正対象書類名】明細書
【補正対象項目名】００５１
【補正方法】変更
【補正の内容】
【００５１】
開催業種数及び併売数とから図３のチャンネル数割付テーブル１４Ａに基づいて、各業種のレースに割り付けるチャンネル数の合計チャンネル数が、最大チャンネル数の４０チャンネルを超える場合は、図４の優先順位指定テーブル１４Ｂに基づいて、４０チャンネルを超えないように、チャンネル数の割り付けが調整される。
【手続補正１３】
【補正対象書類名】明細書
【補正対象項目名】００６６
【補正方法】変更
【補正の内容】
【００６６】
ステップＳ３において、ＣＰＵ１１は、競輪通信制御部１２ｂからの競輪情報に基づいて競輪レース開催の有無を判断し、競輪開催有りの場合は（Ｙ）、ステップＳ４へ進み、競輪開催無しの場合は（Ｎ）、ステップＳ５へ進む。ステップＳ４において、ＣＰＵ１１は、競輪情報制御部１３ｂへ開催情報、併売数を格納し、ステップＳ５へ進む。
【手続補正１４】
【補正対象書類名】明細書
【補正対象項目名】００６９
【補正方法】変更
【補正の内容】
【００６９】
ステップＳ８において、ＣＰＵ１１は、スケジュール制御部１５に、開催情報と併売数により表示パターンをセットするスケジュール処理を行わせ、ステップＳ９へ進む。
【手続補正１５】
【補正対象書類名】明細書
【補正対象項目名】００７３
【補正方法】変更
【補正の内容】
【００７３】
ステップＳ１０において、ＣＰＵ１１は、画面制御部１６に、１画面表示の映像データを編集する描画処理を行い、描画処理した１画面表示の映像信号を場内映像設備２０を介して場内モニタ３０へ出力し、ステップＳ１１へ進む。ここで、描画処理は、例えば、レースの進行状況を表す表示パターンであれば、ファンの便宜に合うように、各業種毎に、締切時刻までの時間が長い順に、開催レースの進行状況を表す情報を並べ替える処理等が含まれている。
【手続補正１６】
【補正対象書類名】明細書
【補正対象項目名】００７８
【補正方法】変更
【補正の内容】
【００７８】
図８に示された表示画面３２は、レース進行状況の表示画面であり、画面が３行×４列１２の欄Ｄ（１，１）〜Ｄ（３，４）により構成されている。各行には、上から下へ競馬、競輪、ボートレースの情報が表示されている。このレース進行を表示する表示画面３２は、３行×４列の構成であるので、３業種×４併売が表示量の上限である。テレビオッズ装置１０は、チャンネル数割付テーブル１４Ａ（図３参照）及び優先順位指定テーブル１４Ｂ（図４参照）に基づいて、３業種×４併売が表示量の上限に収まるように、編集した１画面表示の映像信号を出力する。
【手続補正１７】
【補正対象書類名】図面
【補正対象項目名】図６
【補正方法】変更
【補正の内容】
【図６】
2015222462.tif 000001